(57)【要約】【課題】コーディネートセット用可変長ハンガー【解決手段】コーディネートセット用ハンガーは、第１本体と、第１本体から上向きに延びるフックと、第１本体から衣服を吊り下げる第１手段と、本体から下向きに延び、従属ハンガーを解放可能にそこから吊り下げるように動作可能である第１連結タブとを備える、主ハンガーを有する。各端にロック端部を有する連結リンクであって、ロック端部が少なくとも１つの水平表面を備えた少なくとも１つのスナップロックを有する連結リンクが、主ハンガーの少なくとも連結タブに解放可能に取り付け可能である。従属ハンガーは、本体と、衣服を第２本体から吊り下げる第２手段と、第２本体から上向きに延びる第２連結タブとを有する。第２連結タブは、連結リンクのロック端部を内部に解放可能に固定するように動作可能である。他の実施形態では、コーディネートセット用ハンガーの構成部品はモジュール式であり、あるいは既存のハンガーストックと一体にするために従属ループを含むこともできる。【選択図】      図１
2007229458.tif 000002
【特許請求の範囲】
【請求項１】
コーディネートセット用ハンガーであって、
第１本体と、前記第１本体から上向きに延びるフックと、前記第１本体から衣服を吊り下げる第１手段と、前記第１本体から下向きに延び、従属ハンガーを解放可能にそこから吊り下げるように動作可能である第１連結タブとを有する、主ハンガーと、
各端にロック端部を有して、前記第１連結タブに解放可能に取り付け可能である連結リンクと、
第２本体と、衣服を前記第２本体から吊り下げる第２手段と、前記第２本体から上向きに延びる第２連結タブとを有する従属ハンガーであって、前記第２連結タブは、前記連結リンクの前記ロック端部をそこに解放可能に固定するように動作可能である、従属ハンガーと、
を備える、コーディネートセット用ハンガー。
【請求項２】
前記第１及び第２連結タブと、前記各ロック端部とは、２つの相補的な雄型又は雌型対合部の少なくとも一方を備える、請求項１に記載のコーディネートセット用ハンガー。
【請求項３】
前記雄型対合部は、前記スナップロックから反対側の前記ロック端部の表面に少なくとも１つの水平表面及び凹部を備えたスナップロックを備える、請求項２に記載のコーディネートセット用ハンガー。
【請求項４】
前記雌型対合部は、保持表面から偏位された保持帯と、前記雄型対合部のスナップロックと係合する第２水平表面とを備える、請求項２に記載のコーディネートセット用ハンガー。
【請求項５】
衣服を前記本体から吊り下げる前記第１及び第２手段の一方は、１つ又は複数の側方に延びるアームと、ピンチグリップと、複数フィンガグリッパー構成物と、ズボン用バーとを備える、請求項１に記載のコーディネートセット用ハンガー。
【請求項６】
モジュール従属ループハンガーであって、
一方端に閉鎖ループと、前記閉鎖ループから前記従属ループ部分の着脱可能なロック端部に延びる軸とを有する、従属ループ部分と、
本体と、衣服を前記本体から吊り下げる手段と、前記本体から上向きに延びる連結タブとを有する従属ハンガーであり、前記連結タブは、前記連結リンクの前記着脱可能なロック端部をそこに解放可能に固定するように動作可能である、従属ハンガーと、
を備える、モジュール従属ループハンガー。
【請求項７】
前記連結タブは、雄型及び雌型対合部のいずれか又は両方を備え、前記連結タブは、前記着脱可能なロック端部を受容し、解放可能に保持するように動作可能である、請求項６に記載のモジュール従属ループハンガー。
【請求項８】
衣服を前記本体から吊り下げる前記手段は、１つ又は複数の側方に延びるアームと、ピンチグリップと、複数フィンガグリッパー構成物と、ズボン用バーとを備える、請求項６に記載のモジュール従属ループハンガー。
【請求項９】
前記雄型対合部は、前記ロック端部の前記表面の凹部と、前記凹部から反対側の第１水平表面を有するスナップロックとを備える、請求項７に記載のモジュール従属ループハンガー。
【請求項１０】
前記雌型対合部は、保持表面から偏位された保持帯と、前記雄型対合部のスナップロックと係合する第２水平表面とを備える、請求項７に記載のモジュール従属ループハンガー。
【請求項１１】
前記閉鎖ループは厚み縮小部分を含む、請求項６に記載のモジュール従属ループハンガー。
【請求項１２】
コーディネートセット用モジュールハンガーであって、
前記コーディネートセット用モジュールハンガーの他の構成要素に関連付けられたロック端部を解放可能に保持するように動作可能な一体型連結タブを有する、モジュールフックと、
第１モジュールハンガー本体であって、衣服を前記本体から吊り下げる第１手段と、前記ハンガー本体から上向きに延びる第１連結タブであり、雄型及び雌型対合部の一方又は両方を備えたロック端部を有して、前記コーディネートセット用モジュールハンガーの他の構成要素を受容し解放可能に保持するように動作可能である第１連結タブとを備える、第１モジュールハンガー本体と、
を備える、コーディネートセット用モジュールハンガー。
【請求項１３】
前記第１モジュールハンガー本体は、前記第１ハンガー本体から下向きに延びる第２連結タブをさらに備え、前記第２連結タブは、前記コーディネートセット用モジュールハンガーの他の構成要素を受容し解放可能に保持するように動作可能である雄型及び雌型対合部の一方又は両方を有する、請求項１２に記載のコーディネートセット用モジュールハンガー。
【請求項１４】
いずれの端にもロック端部を有する連結リンクをさらに備え、前記ロック端部は、雄型及び雌型対合部の一方又は両方を有し、前記連結リンクは、１つ又は複数の前記モジュールフック及び前記第１モジュールハンガー本体に解放可能に固定可能である、請求項１２に記載のコーディネートセット用モジュールハンガー。
【請求項１５】
第２ハンガー本体をさらに備える、コーディネートセット用モジュールハンガーであって、前記第２ハンガー本体は、
衣服を前記第２ハンガー本体から吊り下げる第２手段と、
前記第２ハンガー本体から上向きに延びる第３連結タブであって、前記コーディネートセット用モジュールハンガーの他の構成要素を受容し解放可能に保持するように動作可能である、雄型及び雌型対合部の一方又は両方を有する第３連結タブと、
を備える、請求項１３に記載のコーディネートセット用モジュールハンガー。
【請求項１６】
前記雄型対合部は、少なくとも１つの水平表面と、前記スナップロックから反対側の前記ロック端部の前記表面の凹部とを備えるスナップロックを備える、請求項１２に記載のコーディネートセット用モジュールハンガー。
【請求項１７】
前記雌型対合部は、保持表面から偏位された保持帯と、前記雄型対合部のスナップロックと係合する第２水平表面とを備える、請求項１２に記載のコーディネートセット用モジュールハンガー。
【請求項１８】
衣服を本体から吊り下げる前記第１手段は、１つ又は複数の側方に延びるアームと、ピンチグリップと、複数フィンガグリッパー構成物と、ズボン用バーとを備える、請求項１２に記載のコーディネートセット用モジュールハンガー。
【請求項１９】
前記モジュールフックは、着脱可能な指示部を受容し保持するように構成される、請求項１２に記載のコーディネートセット用モジュールハンガー。
【発明の詳細な説明】
【技術分野】
【０００１】
本発明は一般に衣服ハンガーの分野に関し、より詳しくは、可変長付着部を備えた、コーディネート済衣服セット用の交換可能な衣服ハンガーシステムに関する。
【背景技術】
【０００２】
衣服の小売販売分野では、複数の衣服をコーディネート済セットとして陳列し、販売し、したがってそれらを単一のハンガーに下げることが望ましい場合が多い。これは、いわゆるガーメント・オン・ハンガー（ＧＯＨ）プログラムを使用して衣服セットが販売される場合に特に当てはまる。ＧＯＨプログラムは最近小売業者に好まれるようになった。ＧＯＨプログラムでは、衣服が製造場所で製造業者によってハンガーから吊り下げられ、小売商人などに発送される。小売場所に到着すると、衣服は、追加作業なく、陳列及び販売用に小売フロアに配置することができる。以前は、小売業者は、自身の費用でまかなわれた労働力によって、衣服をハンガーに吊り下げる作業を遂行していた。
【０００３】
この目的に向けて、衣服のコーディネート済セットを収容し陳列するためのある種の特殊用途ハンガーが開発されている。これらの中には、本発明者及び、本出願の同一出願人による、２００４年９月３０日に公開された米国特許出願公開第２００４／０１８８４７５号で開示されているダブルハンガーがあり、この出願の開示の全ては、あらゆる目的のために参照してここに組み込まれる。他には、本発明者に対して２００４年１１月３０日に発行され、本出願の同一出願人による米国意匠特許第４９８，９３６号で示されている、特に子供及び幼児用衣服のために適合されたいわゆるボーハンガーがあり、この特許の開示の全ては、あらゆる目的のために参照してここに組み込まれる。さらに他のものとして、例えばＯｌｋらに対して２００５年４月５日に発行され、本出願の同一出願人による米国特許第６，８７５，９３２号で開示されているような、第１ハンガーの本体の下に設けられたループから第２ハンガーを支持する措置を有する、コーディネート用ループハンガーがあり、この特許の開示の全ては、あらゆる目的のために参照してここに組み込まれる。最後に、コーディネート用グリッパー又は類似形式のハンガーは、フックの代わりにループを有し、このループが他のハンガーのフックの基部から従属するように適合されている。コーディネート用グリッパーハンガーは、例えば本発明者に対して２００５年２月２２日に発行され、本出願の同一出願人による米国意匠特許第５０２，０１１号で示され、この特許の開示の全ては、あらゆる目的のために参照してここに組み込まれる。
【０００４】
これらのハンガーはどれも特定の欠点を有する。ダブルハンガー及びボーハンガーの場合、これらは他の目的にはあまり適さず、及び／又は、例えば単一の上半身用衣服に対して再使用することが望まれる場合、無駄になり、過度に高コストとなる。さらに、これらの寸法は所与の用途で固定される。このハンガーは、異なった寸法又は形状が好都合であるはずの異なった型又はセットの衣服に再使用するには不適切である。これよりむしろ、全く新しいハンガーを提供しなければならない。
【０００５】
一組の又は複数のコーディネート用ループハンガーは決して理想的ではなく、これは従属ハンガーのフルサイズのフックが、従属ハンガーを他の用途に個別で使用するのを可能にしても、従属ハンガーとして使用されるとき、フックの寸法及び嵩が無駄となり、必要ないからである。
【０００６】
コーディネート用グリッパーハンガー及び類似のループ形式のものも決して理想的ではなく、これは、これらも寸法、特にハンガー本体と上方ループとの間のドロップ又はステップの長さが固定されているからである。ドロップの長さは、１つの特定のコーディネートセット又は１グループの衣服セットを収容するように選定され、他のものとの使用には適していない場合がある。この形式はまた、従属ハンガーを上位ハンガーに固定しないという欠点も有する。代わりに、この形式は、重力によって従属ハンガーを定位置に保持しており、従属ハンガーは容易に押し動かされ、上位ハンガーから外れる場合さえある。
【特許文献１】米国特許出願公開第２００４／０１８８４７５号
【特許文献２】米国意匠特許第４９８，９３６号
【特許文献３】米国特許第６，８７５，９３２号
【特許文献４】米国意匠特許第５０２，０１１号
【特許文献５】米国特許第６，５２３，２４０号
【特許文献６】米国特許第６，２６４，０７５号
【発明の開示】
【発明が解決しようとする課題】
【０００７】
【課題を解決するための手段】
【０００８】
したがって、当技術分野のこれら及び他の欠点に取り組むために、本発明によって、コーディネートセット用ハンガーであって、第１本体と、第１本体から上向きに延びるフックと、第１本体から衣服を吊り下げる第１手段と、本体から下向きに延び、従属ハンガーを解放可能にそこから吊り下げるように動作可能である第１連結タブとを備える主ハンガーを有する、コーディネートセット用ハンガーが提供される。各端にロック端部を有する連結リンクであって、ロック端部が少なくとも１つの水平表面を備えた少なくとも１つのスナップロックを有する連結リンクが、主ハンガーの少なくとも連結タブに解放可能に取り付け可能である。従属ハンガーは、本体と、衣服を第２本体から吊り下げる第２手段と、第２本体から上向きに延びる第２連結タブとを有する。第２連結タブは、連結リンクのロック端部をその中に解放可能に固定するように動作可能である。
【０００９】
衣服を本体から吊り下げる手段は、側方に延びるアーム、ピンチグリップ、複数フィンガのグリッパー構成物、及びズボン用バーであってよい。ロック端部は、スナップロックから反対側のロック端部の表面に凹部を含むことが好ましい。
【００１０】
本発明の代替的実施形態では、モジュール従属ループハンガーが、閉鎖ループを一方端に有する従属ループ部分と、閉鎖ループから従属ループ部分のロック端部に延びる軸と、少なくとも１つの水平表面を備えた少なくとも１つのスナップロックを有するロック端部と、本体及び本体から衣服を吊り下げる手段を有する従属ハンガーと、本体から上向きに延びる連結タブとを含む。連結タブは、内部の連結リンクのロック端部を解放可能に固定するように動作可能である。閉鎖ループは、厚み縮小部分を含むことができる。
【００１１】
本発明のさらなる実施形態では、コーディネートセット用モジュールハンガーは、第１保持表面から偏位された第１保持帯を有するモジュールフックと、第１水平表面と、コーディネートセット用モジュールハンガーの他の構成要素のロック端部を受容し、解放可能に保持するように動作可能なモジュールフックと、を含む。第１モジュールハンガー本体が、衣服を本体から吊り下げる第１手段と、ハンガー本体から上向きに延びる第１連結タブであって、少なくとも１つの水平表面を備えた少なくとも１つのスナップロック部を備えたロック端部を有する第１連結タブと、第２保持表面から偏位された第２保持帯と、第２水平表面と、コーディネートセット用モジュールハンガーの他の構成要素のロック端部を受容し、解放可能に保持するように動作可能な第１連結タブと、を含む。
【００１２】
モジュールハンガー本体は、第１ハンガー本体から下向きに延びてコーディネートセット用モジュールハンガーの他の構成要素のロック端部を受容し、解放可能に保持するように動作可能な第２連結タブも含むことができる。ロック端部をいずれの端にも有する任意の連結リンクが、１つ又は複数のモジュールフック及び第１モジュールハンガー本体に解放可能に固定可能である。
【００１３】
コーディネートセット用モジュールハンガーは、第１ハンガー本体に関して述べた特徴部を有することが好ましい第２ハンガー本体を含むことが好ましい。モジュールフックには、指示部を受容し、保持する構造物を設けることができる。
【００１４】
本出願のこれら及び他の特徴、利得、及び利点が、以下の詳しい説明及び添付図面を参照すれば明らかとなり、ここではいくつかある図面の全てにわたって、同様の参照符号は同様の特徴物を指す。
【発明を実施するための最良の形態】
【００１５】
次に図１を参照すると、本発明の第１実施形態による、全体として１０とする、可変長コーディネートセット用ハンガーの正面分解組立図を示している。コーディネートセット用ハンガー１０は、主ハンガー２０、従属ハンガー３０、及び連結リンク４０を有する。主ハンガー２０は、本体２４から上向きに延びるフック２２と、本体から概して反対方向に外向きに延びる側方アーム２６、２８とを含む。主ハンガーは、以下にさらに詳しく説明するように、連結リンク４０又は従属ハンガー３０のロック端部４２を受容し保持する連結タブ２９も含む。
【００１６】
この実施例の主ハンガー２０は、シャツ、ブラウス、セーター、コート、ジャケットなどの上半身衣服用ハンガーであるが、適用例ではほぼ任意のハンガー形式であることができる。この場合、アームは衣服を主ハンガー２０から吊り下げる手段を備える。しかし、代替的実施形態では、衣服をハンガーに吊り下げるこのような手段は、従属ハンガー３０にあるような複数フィンガのグリッパー、他の弾性の衣服用クリップ形式の中では特に、当技術分野で知られているような多数の形態のうちの任意の、ズボン用バー、又はピンチグリップを備えることができる。
【００１７】
従属ハンガー３０は、この例示的実施形態では、グリッパー型ハンガーであるが、実際にはほぼ任意のハンガー形式であることができる。従属ハンガー３０は、この本体３２から上向きに延びる連結タブ３９を有する。連結タブ３９は逆になっているが、それ以外はタブ２９と同一であり、連結リンク４０のロック端部４２を受容し、保持する。
【００１８】
連結リンク４０は、この各端のロック端部４２と、ロック端部４２と接合する軸４４とを有する。軸４４は、任意の長さであることができる。好ましい実施形態では、適用例の必要に応じて交換できるように、多様な連結リンク４０を多数の長さで設けることができる。
【００１９】
以下に述べるように、連結タブ２９、３９、及びロック端部４２は、相互ロックシステムの相補的対合部、一般にそれぞれ雌型と雄型として構成される。しかし、本発明の範囲から逸脱せずに、構成要素を逆にすることができ、即ち連結タブ２９、３０のいずれか又は両方を雄型構成要素として構成し、ロック端部４２のいずれか又は両方を雌型構成要素として構成することができる。さらに、本発明の代替的実施形態によれば、連結タブ２９、３９及び／又はロック端部４２は、雌型端部と雄型端部のいずれか又は両方として汎用的に適合できるように構成することができて、有用性をさらに増す。
【００２０】
さらに、相補的対合部は任意の構成に設けることができ、これによって、可変長連結リンクを備えた様々な企図のハンガーを、又は直接的に他のハンガーを相互ロックすることが可能になる。したがって、ハンガーと連結リンクは、雄型又は雌型対合部のいずれかを、あるいは連結リンクの場合は両方を担持することができる。代替方法として、相互ロックシステムの対合部は汎用型である。
【００２１】
次に図２を参照すると、図１の線２−２による断面図を示している。連結タブ２９は、相互から垂直方向に分離した概して同一平面の２つの保持表面５１と、保持表面５１の平面からの偏位保持帯５３とを有する。保持帯５３は、例示的実施形態のように、少なくとも１つの、好ましくは保持帯５３の各端部に１つずつ、２つの拡張部５５によって、連結タブ２９に接合される。
【００２２】
連結リンク４０のロック端部４２は、一方側から延びるスナップロック５７を有する。スナップロック５７は下面に水平表面５９を有する。連結リンク４０を連結タブ２９に係合させるために、ロック端部４２は、保持表面５１と偏位保持帯５３の間の連結タブ２９内に挿入される。ロック端部４２の挿入時に、スナップロック５７と保持表面５１のいずれか又は両方が偏向して、相互に通過するようになる。この偏向は、スナップロック５７の傾斜付表面６１と、スナップロック５７の反対側のロック端部４２に形成された材料６３の空洞とによって助けられ、任意選択でそのいずれか又は両方が、ロック端部４２に存在してよい。
【００２３】
スナップロック５７が最も下の保持表面５１の上に来た後は、スナップロック５７の水平表面５９が、連結タブ２９の相補的水平表面６５と係合する。表面５９と６５の相互ロックは概して、相当程度の力を加えずに、あるいはこの目的専用の道具を使用して、移動に対して抵抗し、したがって、例えば自主産業間商取引基準協会（Ｖｏｌｕｎｔａｒｙ  Ｉｎｔｅｒ−ｉｎｄｕｓｔｒｙ  Ｃｏｍｍｅｒｃｅ  Ｓｔａｎｄａｒｄｓ  Ａｓｓｏｃｉａｔｉｏｎ（ＶＩＣＳ））又はベリタス消費製品サービス事務局（Ｂｕｒｅａｕ  Ｖｅｒｉｔａｓ  Ｃｏｎｓｕｍｅｒ  Ｐｒｏｄｕｃｔ  Ｓｅｒｖｉｃｅｓ，Ｉｎｃ．）などによって公布されている工業規格によるチャイルドプルーフであると考えられる。
【００２４】
図１の実施形態では、連結タブ３９は連結タブ２９の逆さまであるが、その他は形態及び機能が同一である。連結リンク４０は両端にロック端部４２を有するので、いずれの垂直配向でも機能することができる。任意には、ロック端部４２には前側と後側の両方にスナップロック２７を設けることができ、これによってロック端部４２が、直立した、逆さまの、前向き又は後ろ向きの、いずれの配向の連結タブ３９とも係合することができるようになる。さらに、従属ハンガー３０は、追加の連結リンク４０及び／又は従属ハンガー３０を取り付けるための、本体３２の下から従属するさらなる連結タブを含むことができる。
【００２５】
次に図３を参照すると、本発明の第２実施形態による、全体として１００とする、可変長コーディネート用ハンガーの正面分解組立図を示している。この実施形態では、本発明によるハンガーを既に使用されている他のものと一体化することが望ましい場合がある。したがって、代替的実施形態によると、コーディネート用ハンガー１００は従属ハンガー３０、即ちこの例示的実施形態でもグリッパー型ハンガーを含むが、実際にはほぼ任意のハンガー形式であってよい。
【００２６】
従属ループ１１０は下方端部にロックタブ１１２を有するが、これは先の実施形態で述べたロックタブ４２と均等であると理解されよう。軸１１４が、ロック端部１１２から閉鎖ループ１１６に延びる。使用中、閉鎖ループ１１６を、可変長コーディネート用ハンガー１００を支持する主ハンガーのフックの上に配置することができる。閉鎖ループ１１６は、この実施形態のように任意には前後に、主ハンガーの本体を収容する厚み縮小部分１１８も含む。厚み縮小部分１１８は、従属ループ１１０が主ハンガーの平面から突き出る大きさを縮小する。
【００２７】
次に図４を参照すると、本発明のさらに他の実施形態による、全体として２００とする、コーディネートセット用ハンガーの正面分解組立図を示している。この実施形態では、モジュールフック２２２は、第１モジュールハンガー本体２２４ａから着脱可能である。第１モジュールハンガー本体２２４ａは、連結リンク４０によって第２モジュールハンガー本体２２４ｂに連結される。第１及び第２モジュールハンガー本体２２４ａ、２２４ｂは、この実施形態では同一と見なし、いずれの全体又は一部を、例えば２２４などの数字で参照するだけで両方を指すものとする。さらに、モジュールハンガー本体２２４ａ、２２４ｂのいずれか又は両方を、吊り下げるべきコーディネートセットを構成する衣服の形式に応じて、グリッパー型ハンガー本体、又は他の任意の形式のハンガー本体と置き換えることもできる。
【００２８】
各モジュールハンガー本体２２４は、この下から従属する連結タブ２９を有する。連結タブ２９は、連結リンク４０のロック端部４２を受容し、保持するように動作可能である。本体２２４から上向きに延びるのは連結タブ２３９である。連結タブ２３９は、連結リンク４０のロック端部４２を受容し、保持するように動作可能である。連結タブ２３９はまた、連結リンク４０なしで直接受容され保持されるように、対応する連結タブ２９の中に直接挿入されるようにも動作可能である。
【００２９】
モジュールフック２２２は、保持帯２５３と水平表面２６５とを含む。保持帯２５３と水平表面２６５は、連結タブ２９の保持帯５３と水平表面６５と類似であると見なす（図２を参照されたい）。したがってモジュールフック２２２は、連結タブ２３９、あるいは連結リンク４０のロック端部４２を受容し、保持するように動作可能である。図示する実施形態によれば、モジュールフック２２２は、着脱可能な指示部を受容し保持するための特段の措置を有さないが、そのような特徴部を当技術分野で知られているやり方で設けることもできる。その場合、本発明によれば、寸法決め指示部の形式を、特定のハンガー上でこのモジュールフック２２２を交換するだけで変更することができる。
【００３０】
次に図５を参照すると、図４の線５−５による連結タブ２３９の断面図を示している。連結タブ２３９は、連結タブ３９、またロック端部４２の両方と共通の特徴部を有する。連結タブ２３９は、相互から垂直方向に分離した概して同一平面の２つの保持表面２５１と、保持表面２５１の平面からの偏位保持帯２５３とを有する。保持帯２５３は、少なくとも１つの、好ましくは例示的実施形態のように保持帯２５３の各端部に１つずつ、２つの拡張部２５５によって、連結タブ２９に接合される。ロック端部４２が保持表面２５１と帯２５３の間に挿入されると、水平表面２６７がロック端部４２の水平表面５９と係合する。
【００３１】
連結タブ２３９のロック端部２４２は、一方側から延びるスナップロック２５７を有する。スナップロック２５７は下面に水平表面２５９を有する。連結タブ２３９、具体的にはこのロック端部２４２が、先の実施形態に関して述べたように連結タブ２９に係合される。モジュールハンガー２２０、又は連結タブ２３９を有する任意の形式のハンガー、例えば従属ハンガーなどが、図１の実施形態で有用であることが理解されるであろう。最後に、連結タブ２３９は、ロック端部４２を受容し保持する措置なしで、設けることもでき、その場合、これがなお、連結リンク４０を使用せずに連結タブ２９に直接連結するのに有用である。
【００３２】
したがって、本発明の前述の実施形態によると、いくつかの異なった形式のハンガーの機能を、ここに示すモジュールシステムによって実行することができる。フック寸法決め指示部の形式は、各寸法決定形式に専用のハンガーモデルを有するよりもむしろ、モジュールフック２２２を取り替えるだけで変更することができる。例えばモジュールフック２２２とモジュールハンガー２２０との組み合わせによって、シングル用ハンガーの衣服を設けることができる。この同じハンガーを、第２モジュールハンガー２２０と、任意にはほぼ任意の長さの連結リンク４０とを加えることによって、コーディネートセット用ハンガー２００に転換することができる。したがって、多種多様なハンガーの必要を満たすのに必要な構成部品の総数が、大幅に縮小される。さらに、各ハンガーを、例えば本発明者に対する、本出願の同一出願人による米国特許第６，５２３，２４０号に開示されているようなハンガーリサイクルプログラムなどで、モジュール構成要素として新たな異なった使用方法に、より簡単にリサイクルし、再使用することができるが、この特許の開示の全ては、あらゆる目的で参照してここに組み込まれる。
【００３３】
次に図６を参照すると、本発明のさらなる実施形態による、全体として３００とする、コーディネートセット用モジュールハンガーの正面図を示している。コーディネートセット用モジュールハンガー３００は、主ハンガー３２０と、従属ハンガー３３０とを含む。この実施形態では、両方ともが上半身衣服用ハンガーとして構成されるが、上述のようにこれも変化させてよい。上述の実施形態と共通の、コーディネートセット用モジュールハンガー３００の特徴部については、詳しく述べない。
【００３４】
主ハンガー３２０はフック３２２を含み、例えばＳｔａｎｌｅｙ  Ｆ．Ｇｏｕｌｄｓｏｎに対する、本出願の同一出願人による米国特許第６，２６４，０７５号に全体的に記述されているように、側部寸法決定部をウェブ３８０に解放可能に固定するようにも構成され、この特許の開示の全ては、あらゆる目的で参照してここに組み込まれる。主ハンガー３２０及び／又は副ハンガーのアーム３２６、３２８には、それぞれのハンガーから吊り下げられた衣服を保持する助けとなるクリップ３２７、３２９を設けることができる。
【００３５】
主ハンガー３２０は連結タブ２９、この場合は雌型対合部を含み、これが、従属ハンガー３３０の上方側のロック端部３６２で、対応する雄型対合部を受容し、解放可能に固定する。従属ハンガー３３０は、追加の従属ハンガー３３０を解放可能に固定する連結タブ２９、又は代替方法として、先の実施形態で述べたような連結リンクをさらに含む。従属ハンガー３３０は、例えば主ハンガー３２０への取り付け又はそこからの取り外しなどで、従属ハンガー３００を把持する助けとなる１対のグリップタブ３８２、３８４をさらに含む。本発明の範囲から逸脱せずに、連結タブ２９及び／又はロック端部３６２の雄型と雌型を交換し、又はこれらを汎用型に製作することができることが理解されるであろう。
【００３６】
この産業で典型的である通り、本明細書で開示する衣服ハンガー又はこの任意の部分の全体又は一部は、射出成形プラスチック、より一般的には、とりわけポリスチレン、ＳＡＮ、ＡＢＳ、ＰＰＯ、ナイロン、ポリプロピレン（ＰＰ）、ポリエチレン、ＰＥＴ、ポリカーボネート（ＰＣ）、アクリル類、Ｋ樹脂、及びポリ塩化ビニル（ＰＶＣ）などの剛質プラスチックから、形成することができる。
【００３７】
本発明を特定の例示的な又は好ましい実施形態を参照して以上に述べた。これらの実施形態は、本発明の範囲を単に例示するものとして、限定するものとしてではなくここに提示している。本開示に照らせば、添付の特許請求の範囲を参照することによってのみ規定される本発明の精神又は範囲から逸脱せずに、ある種の代替形態又は修正形態が当業者に明らかであろう。
【図面の簡単な説明】
【００３８】
【図１】本発明の第１実施形態によるコーディネートセット用可変長ハンガーの正面分解組立図である。
【図２】図１の線２−２による断面図である。
【図３】本発明の第２実施形態によるコーディネート用可変長ハンガーの正面分解組立図である。
【図４】本発明のさらに他の実施形態によるコーディネートセット用ハンガーの正面分解組立図である。
【図５】図４の線５−５による断面図である。
【図６】本発明のさらに他の実施形態によるコーディネートセット用ハンガーの正面図である。
【符号の説明】
【００３９】
１０、１００、２００、３００  可変長コーディネートセット用ハンガー
２０、２２０、３２０  主ハンガー
２２、２２２、３２２  フック
２４、２２４  本体
２６、２８、３２６、３２８  側方アーム
２７、５７、２５７  スナップロック
２９、３９、２３９  連結タブ
３０、３００、３３０  従属ハンガー
３２  本体
４０  連結リンク
４２、２４２、３６２  ロック端部
４４  軸
５１、２５１  保持表面
５３、２５３  保持帯
５５、２５５  拡張部
５９、６５、２５９、２６５、２６７  水平表面
６１  傾斜付表面
６３  材料
１１０  従属ループ
１１６  閉鎖ループ
１１８  厚み縮小部分
３２７、３２９  クリップ
３８２、３８４  グリップタブ
【図１】
2007229458.tif 000003
【図２】
2007229458.tif 000004
【図３】
2007229458.tif 000005
【図４】
2007229458.tif 000006
【図５】
2007229458.tif 000007
【図６】
2007229458.tif 000008
【外国語明細書】
2007229458000001.pdf